(57)【要約】【課題】優れた光電変換特性を有しながら、リード線付き光電変換素子を歩留まり良く製造できる光電変換素子を提供すること。【解決手段】透明基板と、透明基板の一面上に設けられる少なくとも１つの光電変換セルと、透明基板の一面上に設けられ、少なくとも１つの光電変換セルから電流を取り出すための導電性の第１電流取出し部とを備える光電変換素子であって、光電変換セルが、透明基板の一面上に設けられる電極と、電極に対向し、金属基板を有する対向基板と、透明基板及び対向基板の間に設けられる環状の封止部とを有し、光電変換素子が、第１電流取出し部上に設けられる第１外部接続端子と、第１電流取出し部上であって第１外部接続端子と封止部との間に第１外部接続端子と離間して設けられる接続端子と、接続端子と金属基板とを接続する導電部材とを有し、接続端子と第１外部接続端子との間の接続端子−外部接続端子間領域が露出されている、光電変換素子。【選択図】図１
2018081991.tif 000002
【特許請求の範囲】
【請求項１】
透明基板と、
前記透明基板の一面上に設けられる少なくとも１つの光電変換セルと、
前記透明基板の前記一面上に設けられ、前記少なくとも１つの光電変換セルから電流を取り出すための導電性の第１電流取出し部とを備える光電変換素子であって、
前記光電変換セルが、
前記透明基板の前記一面上に設けられる電極と、
前記電極に対向し、金属基板を有する対向基板と、
前記透明基板及び前記対向基板の間に設けられる環状の封止部とを有し、
前記光電変換素子が、
前記第１電流取出し部上に設けられる第１外部接続端子と、
前記第１電流取出し部上であって前記第１外部接続端子と前記封止部との間に前記第１外部接続端子と離間して設けられる接続端子と、
前記接続端子と前記金属基板とを接続する導電部材とを有し、
前記接続端子と前記第１外部接続端子との間の接続端子−外部接続端子間領域が露出されている、光電変換素子。
【請求項２】
前記透明基板の前記一面上に設けられ、前記少なくとも１つの光電変換セルから電流を取り出すための導電性の第２電流取出し部と、
前記第２電流取出し部上に設けられる第２外部接続端子と、
前記透明基板の前記一面上に設けられる集電配線とをさらに備えており、
前記集電配線の一端が、前記第２電流取出し部上で前記第２外部接続端子と前記封止部との間で前記第２外部接続端子と離間した位置に接続され、
前記集電配線の他端が、前記少なくとも１つの光電変換セルのうちの１つの光電変換セルに含まれる前記電極上で前記封止部の外側の位置に接続され、
前記集電配線の前記一端と前記第２外部接続端子との間の配線−外部接続端子間領域が露出されている、請求項１に記載の光電変換素子。
【請求項３】
透明基板と、
前記透明基板の一面上に設けられる少なくとも１つの光電変換セルと、
前記透明基板の前記一面上に設けられ、前記少なくとも１つの光電変換セルから電流を取り出すための導電性の第１電流取出し部と、
前記透明基板の前記一面側に設けられ、前記少なくとも１つの光電変換セルを覆って保護する保護層とを備える光電変換素子であって、
前記光電変換セルが、
前記透明基板の前記一面上に設けられる電極と、
前記電極に対向し、金属基板を有する対向基板と、
前記透明基板及び前記対向基板の間に設けられる環状の封止部とを有し、
前記光電変換素子が、
前記第１電流取出し部上に設けられる第１外部接続端子と、
前記第１電流取出し部上であって前記第１外部接続端子と前記封止部との間に前記第１外部接続端子と離間して設けられる接続端子と、
前記接続端子と前記金属基板とを接続する配線部を有する導電部材とを有し、
前記保護層が前記透明基板側に樹脂層を有し、
前記保護層が、前記配線部のうち少なくとも前記透明基板と反対側の主面を覆って前記少なくとも１つの光電変換セルの前記金属基板に固定され、前記透明基板の前記一面に直交する方向に前記光電変換素子を見た場合に、前記保護層の周縁部が、前記接続端子を超えて前記接続端子と前記第１外部接続端子との間の接続端子−外部接続端子間領域まで延びており、前記保護層の周縁部のうち前記樹脂層が前記接続端子−外部接続端子間領域に直接接着され、
前記保護層の線膨張係数が前記封止部の線膨張係数よりも小さい、光電変換素子。
【請求項４】
前記透明基板の前記一面上に設けられ、前記少なくとも１つの光電変換セルから電流を取り出すための導電性の第２電流取出し部と、
前記第２電流取出し部上に設けられる第２外部接続端子と、
前記透明基板の前記一面側に設けられる集電配線とをさらに備えており、
前記集電配線の一端が、前記第２電流取出し部上であって前記第２外部接続端子と前記封止部との間で前記第２外部接続端子と離間した位置に接続され、
前記集電配線の他端が、前記少なくとも１つの光電変換セルのうちの１つの光電変換セルに含まれる前記電極上で前記封止部の外側の位置に接続され、
前記透明基板の前記一面に直交する方向に前記光電変換素子を見た場合に、前記保護層の周縁部が、前記集電配線の前記一端を超えて前記集電配線の前記一端と前記第２外部接続端子との間の配線−外部接続端子間領域まで延びており、前記保護層の周縁部のうち前記樹脂層が前記配線−外部接続端子間領域に直接接着されている、請求項３に記載の光電変換素子。
【発明の詳細な説明】
【技術分野】
【０００１】
本発明は、光電変換素子に関する。
【背景技術】
【０００２】
光電変換素子として、安価で、高い光電変換効率が得られることから色素を用いた光電変換素子が注目されており、色素を用いた光電変換素子に関して種々の開発が行われている。
【０００３】
色素を用いた光電変換素子は一般に、透明基板と、透明基板の一面上に設けられる少なくとも１つの光電変換セルとを備えており、光電変換セルは、透明基板上に設けられる電極と、電極に対向し、金属基板を有する対向基板と、透明基板及び対向基板の間に設けられる環状の封止部と、電極と対向基板との間に設けられる酸化物半導体層と、酸化物半導体層に担持される色素とを備えている。
【０００４】
このような色素を用いた光電変換素子としては、例えば下記特許文献１に記載の色素増感光電変換素子が知られている。下記特許文献１には、透明基板の一面上にそれぞれ設けられ、光電変換セルから電流を取り出すための導電性の第１電流取出し部及び第２電流取出し部と、第１電流取出し部上で封止部の外側に設けられる第１外部接続端子と、第１電流取出し部上であって封止部と第１外部接続端子との間に設けられる接続端子と、第２電流取出し部上で封止部の外側に設けられる第２外部接続端子と、第１電流取出し部上の接続端子と対向基板の金属基板とを接続する導電部材と、透明基板上で且つ封止部の外側の領域であって第１外部接続端子および第２外部接続端子以外の全領域を覆い隠すガラスからなるガラス層とを備えた色素増感光電変換素子が開示されている。
【先行技術文献】
【特許文献】
【０００５】
【特許文献１】特開２０１６−１０３４９５号公報
【発明の概要】
【発明が解決しようとする課題】
【０００６】
しかし、上記特許文献１に記載の色素増感光電変換素子は以下に示す課題を有していた。
【０００７】
すなわち、上記特許文献１に記載の色素増感光電変換素子は、優れた光電変換特性を有しながら、リード線付き光電変換素子を歩留まり良く製造する点で改善の余地を有していた。
【０００８】
本発明は上記事情に鑑みてなされたものであり、優れた光電変換特性を有しながら、リード線付き光電変換素子を歩留まり良く製造できる光電変換素子を提供することを目的とする。
【課題を解決するための手段】
【０００９】
まず本発明者らは、上記特許文献１の色素増感光電変換素子において、上記課題を解決するべく検討を重ねる過程で以下のことに気付いた。すなわち、上記特許文献１の色素増感光電変換素子では、ＦＴＯなどの透明導電層からなる第１電流取出し部のうち、接続端子と第１外部接続端子との間の接続端子−外部接続端子間領域にガラス層が形成される際、ガラス層は、接続端子−外部接続端子間領域にガラスフリットを含むペーストを印刷した後、３５０〜６００℃程度の高温で焼結されて形成される。このとき、本発明者らは第１電流取出し部の電気抵抗が焼結前よりも上昇することに気付いた。この原因は、ペースト中の何らかの成分と第１電流取出し部とが反応し第１電流取出し部がエッチングされるか、または第１電流取出し部に何らかの化学変化が生じることにあるのではないかと本発明者らは考えた。このため、接続端子−外部接続端子間領域にガラス層を設けないことが、優れた光電変換特性を得る上で有効であると本発明者らは考えた。ここで、接続端子と第１外部接続端子とを離間させず、接続端子と第１外部接続端子とを一体化することも考えられる。この場合、接続端子−外部接続端子間領域には接続端子と第１外部接続端子と同一の材料からなる層が設けられることになる。しかし、この場合、色素増感光電変換素子の第１外部接続端子にはんだ付けでリード線を接続する場合に、得られるリード線付き光電変換素子の製造歩留まりの点で改善の余地が生じた。これは、第１外部接続端子から接続端子に熱が伝わりやすくなり、その熱が導電部材にまで伝わって導電部材において断線や抵抗上昇等の不具合が発生しやすくなったためではないかと本発明者らは推察している。そこで、本発明者らは、優れた光電変換特性を有しながら、リード線付き光電変換素子を歩留まり良く製造できる光電変換素子を実現するべく鋭意研究を重ねた結果、以下の発明により上記課題を解決し得ることを見出した。
【００１０】
すなわち、本発明は、透明基板と、前記透明基板の一面上に設けられる少なくとも１つの光電変換セルと、前記透明基板の前記一面上に設けられ、前記少なくとも１つの光電変換セルから電流を取り出すための導電性の第１電流取出し部とを備える光電変換素子であって、前記光電変換セルが、前記透明基板の前記一面上に設けられる電極と、前記電極に対向し、金属基板を有する対向基板と、前記透明基板及び前記対向基板の間に設けられる環状の封止部とを有し、前記光電変換素子が、前記第１電流取出し部上に設けられる第１外部接続端子と、前記第１電流取出し部上であって前記第１外部接続端子と前記封止部との間に前記第１外部接続端子と離間して設けられる接続端子と、前記接続端子と前記金属基板とを接続する導電部材とを有し、前記接続端子と前記第１外部接続端子との間の接続端子−外部接続端子間領域が露出されている、光電変換素子である。
【００１１】
この光電変換素子によれば、第１外部接続端子と接続端子とが離間している。このため、光電変換素子の第１外部接続端子にはんだ付けでリード線を接続する際に、第１外部接続端子から接続端子に熱が伝わりにくくなり、その熱が導電部材にまで伝わりにくくなって導電部材において断線や抵抗上昇等の不具合が発生しにくくなる。このため、本発明の光電変換素子は、リード線付き光電変換素子を歩留まり良く製造できる。また、接続端子−外部接続端子間領域が露出されており、接続端子−外部接続端子間領域に何も接着されていない。このため、接続端子−外部接続端子間領域にガラス層が接着されている場合に比べて、光電変換素子は優れた光電変換特性を有することが可能となる。
【００１２】
上記光電変換素子においては、前記透明基板の一面上に設けられ、前記少なくとも１つの光電変換セルから電流を取り出すための導電性の第２電流取出し部と、前記第２電流取出し部上に設けられる第２外部接続端子と、前記透明基板の前記一面側に設けられる集電配線とをさらに備えており、前記集電配線の一端が、前記第２電流取出し部上であって前記第２外部接続端子と前記封止部との間で前記第２外部接続端子と離間して設けられる位置に接続され、前記集電配線の他端が、前記少なくとも１つの光電変換セルのうちの１つの光電変換セルに含まれる前記電極上で前記封止部の外側の位置に接続され、前記集電配線の前記一端と前記第２外部接続端子との間の配線−外部接続端子間領域が露出されていることが好ましい。
【００１３】
この場合、第２外部接続端子と集電配線の一端とが離間している。このため、光電変換素子の第２外部接続端子にはんだ付けでリード線を接続する際に、第２外部接続端子から集電配線の一端に熱が伝わりにくくなり、その熱が集電配線にまで伝わりにくくなって集電配線において断線や抵抗上昇等の不具合が発生しにくくなる。このため、本発明の光電変換素子は、リード線付き光電変換素子をより一層歩留まり良く製造できる。配線−外部接続端子間領域が露出されており、配線−外部接続端子間領域に何も接着されていない。このため、配線−外部接続端子間領域にガラス層が接着されている場合に比べて、光電変換素子は優れた光電変換特性を有することが可能となる。
【００１４】
また、本発明は、透明基板と、前記透明基板の一面上に設けられる少なくとも１つの光電変換セルと、前記透明基板の前記一面上に設けられ、前記少なくとも１つの光電変換セルから電流を取り出すための導電性の第１電流取出し部と、前記透明基板の前記一面側に設けられ、前記少なくとも１つの光電変換セルを覆って保護する保護層とを備える光電変換素子であって、前記光電変換セルが、前記透明基板の前記一面上に設けられる電極と、前記電極に対向し、金属基板を有する対向基板と、前記透明基板及び前記対向基板の間に設けられる環状の封止部とを有し、前記光電変換素子が、前記第１電流取出し部上に設けられる第１外部接続端子と、前記第１電流取出し部上であって前記第１外部接続端子と前記封止部との間に前記第１外部接続端子と離間して設けられる接続端子と、前記接続端子と前記金属基板とを接続する配線部を有する導電部材とを有し、前記保護層が前記透明基板側に樹脂層を有し、前記保護層が、前記配線部のうち少なくとも前記透明基板と反対側の主面を覆って前記少なくとも１つの光電変換セルの前記金属基板に固定され、前記透明基板の前記一面に直交する方向に前記光電変換素子を見た場合に、前記保護層の周縁部が、前記接続端子を超えて前記接続端子と前記第１外部接続端子との間の接続端子−外部接続端子間領域まで延びており、前記保護層の周縁部のうち前記樹脂層が前記接続端子−外部接続端子間領域に直接接着され、前記保護層の線膨張係数が前記封止部の線膨張係数よりも小さい、光電変換素子である。
【００１５】
この光電変換素子によれば、第１外部接続端子と接続端子とが離間している。このため、光電変換素子の第１外部接続端子にはんだ付けでリード線を接続する際に、第１外部接続端子から接続端子に熱が伝わりにくくなり、その熱が導電部材にまで伝わりにくくなって導電部材において断線や抵抗上昇等の不具合が発生しにくくなる。このため、本発明の光電変換素子は、リード線付き光電変換素子を歩留まり良く製造できる。また、透明基板の一面に直交する方向に光電変換素子を見た場合に、保護層が光電変換セルを覆って保護し、保護層の周縁部が接続端子を超えて接続端子−外部接続端子間領域まで延びており、保護層の周縁部のうち樹脂層が接続端子−外部接続端子間領域に直接接着されている。このため、接続端子−外部接続端子間領域にガラス層が直接接着されている場合に比べて、光電変換素子は優れた光電変換特性を有することが可能となる。さらに、本発明の光電変換素子では、周囲の温度変化に伴って封止部が透明基板の一面に直交する方向に膨張及び収縮すると、それに伴って、特に、導電部材の配線部のうち透明基板と反対側の主面に繰返し応力が加わりやすい。これに対し、本発明の光電変換素子では、保護層が、配線部のうち少なくとも透明基板と反対側の主面を覆っており、この保護層は封止部の線膨張係数よりも小さい線膨張係数を有している。このため、保護層は封止部よりも膨張及び収縮が起こりにくい。加えて、透明基板の一面に直交する方向に光電変換素子を見た場合に、保護層は、光電変換セルを覆い、光電変換セルの金属基板に固定されているとともに、保護層の周縁部が、接続端子を超えて接続端子−外部接続端子間領域まで延びている。すなわち、保護層が、透明基板の一面に直交する方向に光電変換素子を見た場合に、温度変化に伴って透明基板の一面に直交する方向の変動が最も起こりやすい封止部の内側及び外側で固定されている。別言すると、保護層が、透明基板の一面に直交する方向に光電変換素子を見た場合に、温度変化に伴って透明基板の一面に直交する方向の変動が封止部に比べて起こりにくい部分で固定されている。このため、封止部が透明基板の一面に直交する方向に膨張及び収縮して配線部のうち少なくとも透明基板と反対側の主面に繰返し応力が加わっても、その応力が保護層によって十分に緩和される。このため、配線部のうち少なくとも透明基板と反対側の主面に亀裂が生じることが十分に抑制される。よって、本発明の光電変換素子は、温度変化の大きい環境下で使用されても、優れた耐久性を有することが可能となる。
【００１６】
上記光電変換素子は、前記透明基板の一面上に設けられ、前記少なくとも１つの光電変換セルから電流を取り出すための導電性の第２電流取出し部と、前記第２電流取出し部上に設けられる第２外部接続端子と、前記透明基板の前記一面側に設けられる集電配線とをさらに備えており、前記集電配線の一端が、前記第２電流取出し部上であって前記第２外部接続端子と前記封止部との間で前記第２外部接続端子と離間した位置に接続され、前記集電配線の他端が、前記少なくとも１つの光電変換セルのうちの１つの光電変換セルに含まれる前記電極上で前記封止部の外側の位置に接続され、前記透明基板の前記一面に直交する方向に前記光電変換素子を見た場合に、前記保護層の周縁部が、前記集電配線の前記一端を超えて前記集電配線の前記一端と前記第２外部接続端子との間の配線−外部接続端子間領域まで延びており、前記保護層の周縁部のうち前記樹脂層が前記配線−外部接続端子間領域に直接接着されていることが好ましい。
【００１７】
この場合、第２外部接続端子と集電配線の一端とが離間している。このため、光電変換素子の第２外部接続端子にはんだ付けでリード線を接続する際に、第２外部接続端子から集電配線の一端に熱が伝わりにくくなり、その熱が集電配線にまで伝わりにくくなって集電配線において断線や抵抗上昇等の不具合が発生しにくくなる。このため、本発明の光電変換素子は、リード線付き光電変換素子をより一層歩留まり良く製造できる。また、透明基板の一面に直交する方向に光電変換素子を見た場合に、保護層の周縁部が集電配線の一端を超えて配線−外部接続端子間領域まで延びており、保護層の周縁部のうち樹脂層が配線−外部接続端子間領域に直接接着されている。このため、配線−外部接続端子間領域にガラス層が直接接着されている場合に比べて、光電変換素子は、より優れた光電変換特性を有することが可能となる。
【発明の効果】
【００１８】
本発明によれば、優れた光電変換特性を有し、リード線付き光電変換素子を歩留まり良く製造できる光電変換素子が提供される。
【図面の簡単な説明】
【００１９】
【図１】本発明の光電変換素子の第１実施形態を示す平面図である。
【図２】図１のＩＩ−ＩＩ線に沿った切断面端面図である。
【図３】図１の光電変換素子における透明導電層のパターンを示す平面図である。
【図４】図１の光電変換素子のうち保護層を取り除いた部分を示す平面図である。
【図５】図４の光電変換素子のうち保護層を取り除いた部分を、封止部を横切る平面で切断した状態を示す断面図である。
【図６】図１の光電変換素子の製造方法の途中で得られる構造体を示す平面図である。
【図７】本発明の光電変換素子の第２実施形態を示す平面図である。
【発明を実施するための形態】
【００２０】
≪第１実施形態≫
以下、本発明の光電変換素子の第１実施形態について図１〜図５を参照しながら詳細に説明する。図１は、本発明の光電変換素子の第１実施形態を示す平面図、図２は、図１のＩＩ−ＩＩ線に沿った切断面端面図、図３は、図３は、図１の光電変換素子における透明導電層のパターンを示す平面図、図４は、図１の光電変換素子のうち保護層を取り除いた部分を示す平面図、図５は、図４の光電変換素子のうち保護層を取り除いた部分を、封止部を横切る平面で切断した状態を示す断面図である。
【００２１】
図１及び図２に示すように、光電変換素子１００は、受光面１１ａを有する透明基板１１と、透明基板１１のうち受光面１１ａと反対側の一面（以下、「セル設置面」と呼ぶ）１１ｂ上に設けられる１つの光電変換セル２０と、透明基板１１のセル設置面１１ｂ側に設けられ、光電変換セル２０を覆って保護する保護層３０とを備えている。保護層３０は樹脂材料を含む樹脂層で構成されている。すなわち、保護層３０は透明基板１１側に樹脂層を有していることになる。
【００２２】
図３に示すように、透明基板１１のセル設置面１１ｂ上には、透明導電層１２が設けられている。透明導電層１２は、電極１２Ａと、光電変換セル２０から電流を取り出すための導電性の第１電流取出し部１２Ｂと、光電変換セル２０から電流を取り出すための導電性の第２電流取出し部１２Ｄと、電極１２Ａ、第１電流取出し部１２Ｂ及び第２電流取出し部１２Ｄを包囲するように設けられる分離部１２Ｃとを有する。電極１２Ａと、第１電流取出し部１２Ｂ及び分離部１２Ｃとは、溝４０を介して互いに絶縁された状態で配置されている。電極１２Ａと第２電流取出し部１２Ｄとは互いに接続されている。分離部１２Ｃと、第１電流取出し部１２Ｂ及び第２電流取出し部１２Ｄとは溝４０を介して互いに絶縁された状態で配置されている。第１電流取出し部１２Ｂ及び第２電流取出し部１２Ｄも溝４０を介して隣り合うように互いに絶縁された状態で配置されている。
【００２３】
図２に示すように、光電変換セル２０は、透明基板１１のセル設置面１１ｂ上に設けられる電極１２Ａと、電極１２Ａに対向する対向基板５０と、透明基板１１及び対向基板５０の間に設けられる環状の封止部６０と、電極１２Ａ上に設けられる酸化物半導体層１３と、少なくとも封止部６０と電極１２Ａとの間に設けられ、絶縁材料からなる絶縁層７０と、電極１２Ａ及び対向基板５０の間に配置される電解質８０とを備えている。
【００２４】
図２及び図５に示すように、第１電流取出し部１２Ｂ上には第１外部接続端子１５ａが設けられており、第１電流取出し部１２Ｂ上であって第１外部接続端子１５ａと封止部６０との間には接続端子１６が第１外部接続端子１５ａと離間して設けられている。一方、図５に示すように、第２電流取出し部１２Ｄ上には第２外部接続端子１５ｂが設けられている。また、第２電流取出し部１２Ｄと電極１２Ａとにまたがるように、電極１２Ａ及び第２電流取出し部１２Ｄよりも低い抵抗を有する集電配線１７が設けられており、集電配線１７の一端（以下、「第１集電配線端」と呼ぶ）１７ａは、第２電流取出し部１２Ｄ上であって第２外部接続端子１５ｂと封止部６０との間で第２外部接続端子１５ｂと離間した位置に接続され、集電配線１７の他端（以下、「第２集電配線端」と呼ぶ）１７ｂは、電極１２Ａ上で封止部６０の外側の位置に接続されている。
【００２５】
図２に示すように、対向基板５０は、基板と電極を兼ねる金属基板５１と、金属基板５１の電極１２Ａ側に設けられて電解質８０の還元に寄与する触媒層５２とを備えている。
【００２６】
そして、図２及び図４に示すように、光電変換素子１００は、少なくとも１本（図４では３本）の配線部９１を有する導電部材９０を備えており、配線部９１は、金属基板５１と、透明基板１１のセル設置面１１ｂ側で且つ封止部６０の外側に設けられる第１接続端子１６とを接続している。別言すると、配線部９１の一端９１ｃは光電変換セル２０の金属基板５１に接続され、配線部９１の他端９１ｄは、封止部６０の外側の第１接続端子１６に接続されている。導電部材９０は、金属基板５１上で配線部９１と交差する本体部９２をさらに備えている。
【００２７】
図５に示すように、絶縁層７０は、光電変換素子１００を透明基板１１のセル設置面１１ｂに直交する方向に見た場合に、封止部６０の外周縁７０ｃより内側の内側絶縁層７０ａと、封止部６０の外周縁７０ｃより外側の外側絶縁層７０ｂとを有している。内側絶縁層７０ａは、酸化物半導体層１３と接するように設けられている。すなわち、内側絶縁層７０ａは、溝４０から光電変換セル２０内への水分の侵入を抑制するため、封止部６０の外周縁７０ｃより内側で溝４０だけでなく電極１２Ａ全体をも覆っている。また、内側絶縁層７０ｂは、溝４０と重なる部分では、溝４０から光電変換セル２０内への水分の侵入をより十分に抑制するため、溝４０に入り込んでいる。外側絶縁層７０ｂは、透明導電層１２のうち、第１外部接続端子１５ａと接続端子１６との間の接続端子−外部接続端子間領域１０１、及び、第２外部接続端子１５ｂと第１集電配線端１７ａとの間の配線−外部接続端子間領域１０２以外の領域を覆い隠すように設けられている。また、透明基板１１のセル設置面１１ｂ上で封止部６０の外側の領域のうち第１外部接続端子１５ａと第２外部接続端子１５ｂとの間の外部接続端子間領域１０３は、絶縁層７０の外側絶縁層７０ｂによって覆い隠されている。また、透明基板１１のセル設置面１１ｂ上で封止部６０の外側の領域のうち接続端子１６と第１集電配線端１７ａとの間の配線−接続端子間領域１０４も絶縁層７０の外側絶縁層７０ｂによって覆い隠されている。
【００２８】
また図１に示すように、保護層３０は、光電変換セル２０のみならず、透明基板１１上の領域のうち、第１外部接続端子１５ａ及び第２外部接続端子１５ｂ以外の領域を覆っている。すなわち、保護層３０は、絶縁層７０の外側絶縁層７０ｂ、接続端子−外部接続端子間領域１０１、配線−外部接続端子間領域１０２、外部接続端子間領域１０３、及び、配線−接続端子間領域１０４をも覆い隠している。また、保護層３０は導電部材９０の配線部９１のうち透明基板１１と反対側の主面９１ａを覆って光電変換セル２０の金属基板５１に固定されており、透明基板１１のセル設置面１１ｂに直交する方向に光電変換素子１００を見た場合に、保護層３０の周縁部３０Ａが、接続端子１６を超えて接続端子−外部接続端子間領域１０１まで延びており、保護層３０の周縁部３０Ａのうち樹脂層が接続端子−外部接続端子間領域１０１に直接接着されている。また、保護層３０は、透明基板１１のセル設置面１１ｂに直交する方向に光電変換素子１００を見た場合に、保護層３０の周縁部３０Ａが、第１集電配線端１７ａを超えて配線−外部接続端子間領域１０２まで延びており、保護層３０の周縁部３０Ａのうち樹脂層が配線−外部接続端子間領域１０２に直接接着されている。
【００２９】
光電変換素子１００によれば、第１外部接続端子１５ａと接続端子１６とが離間している。このため、光電変換素子１００の第１外部接続端子１５ａにはんだ付けでリード線（図示せず）を接続する際に、第１外部接続端子１５ａから接続端子１６に熱が伝わりにくくなり、その熱が導電部材９０にまで伝わりにくくなって導電部材９０において断線や抵抗上昇等の不具合が発生しにくくなる。このため、光電変換素子１００は、リード線付きの光電変換素子を歩留まり良く製造できる。
【００３０】
また、光電変換素子１００では、周囲の温度変化に伴って封止部６０が透明基板１１のセル設置面１１ｂに直交する方向に膨張及び収縮すると、それに伴って、特に、導電部材９０の配線部９１のうち透明基板１１と反対側の主面９１ａに繰返し応力が加わりやすい。これに対し、光電変換素子１００では、保護層３０が、配線部９１のうち少なくとも透明基板１１と反対側の主面９１ａを覆っており、この保護層３０は封止部６０の線膨張係数よりも小さい線膨張係数を有している。このため、保護層３０は封止部６０よりも膨張及び収縮が起こりにくい。加えて、透明基板１１のセル設置面１１ｂに直交する方向に光電変換素子１００を見た場合に、保護層３０は、光電変換セル２０を覆い、光電変換セル２０の金属基板５１に固定されているとともに、保護層３０の周縁部３０Ａが、接続端子１６を超えて接続端子−外部接続端子間領域１０１まで延びている。すなわち、保護層３０が、透明基板１１のセル設置面１１ｂに直交する方向に光電変換素子１００を見た場合に、温度変化に伴って透明基板１１のセル設置面１１ｂに直交する方向の変動が最も起こりやすい封止部６０の内側及び外側で固定されている。別言すると、保護層３０が、透明基板１１のセル設置面１１ｂに直交する方向に光電変換素子１００を見た場合に、温度変化に伴って透明基板１１のセル設置面１１ｂに直交する方向の変動が封止部６０に比べて起こりにくい部分で固定されている。このため、封止部６０が透明基板１１のセル設置面１１ｂに直交する方向に膨張及び収縮して配線部９１のうち少なくとも透明基板１１と反対側の主面９１ａに繰返し応力が加わっても、その応力が保護層３０によって十分に緩和される。このため、配線部９１のうち少なくとも透明基板１１と反対側の主面９１ａに亀裂が生じることが十分に抑制される。よって、光電変換素子１００は、温度変化の大きい環境下で使用されても、優れた耐久性を有することが可能となる。
【００３１】
さらに光電変換素子１００では、第２外部接続端子１５ｂと第１集電配線端１７ａとが離間している。このため、光電変換素子１００の第２外部接続端子１５ｂにはんだ付けでリード線（図示せず）を接続する際に、第２外部接続端子１５ｂから第１集電配線端１７ａに熱が伝わりにくくなり、その熱が集電配線１７にまで伝わりにくくなって集電配線１７において断線や抵抗上昇等の不具合が発生しにくくなる。このため、光電変換素子１００は、リード線付き光電変換素子をより一層歩留まり良く製造できる。また、透明基板１１のセル設置面１１ｂに直交する方向に光電変換素子１００を見た場合に、保護層３０の周縁部３０Ａが第１集電配線端１７ａを超えて配線−外部接続端子間領域１０２まで延びており、保護層３０の周縁部３０Ａのうち樹脂層が配線−外部接続端子間領域１０２に直接接着されている。このため、配線−外部接続端子間領域１０２にガラス層が直接接着されている場合に比べて、光電変換素子１００は、より優れた光電変換特性を有することが可能となる。
【００３２】
次に、透明基板１１、透明導電層１２、酸化物半導体層１３、第１外部接続端子１５ａ及び第２外部接続端子１５ｂ、接続端子１６、集電配線１７、色素、保護層３０、対向基板５０、封止部６０、絶縁層７０、電解質８０並びに導電部材９０について詳細に説明する。
【００３３】
＜透明基板＞
透明基板１１を構成する材料は、例えば透明な材料であればよく、このような透明な材料としては、例えばホウケイ酸ガラス、ソーダライムガラス、白板ガラス、石英ガラスなどのガラス、ポリエチレンテレフタレート（ＰＥＴ）、ポリエチレンナフタレート（ＰＥＮ）、ポリカーボネート（ＰＣ）、および、ポリエーテルスルフォン（ＰＥＳ）などが挙げられる。透明基板１１の厚さは、光電変換素子１００のサイズに応じて適宜決定され、特に限定されるものではないが、例えば０．０５〜１０ｍｍの範囲にすればよい。
【００３４】
＜透明導電層＞
透明導電層１２に含まれる材料としては、例えばスズ添加酸化インジウム（ＩＴＯ）、酸化スズ（ＳｎＯ２）、フッ素添加酸化スズ（ＦＴＯ）などの導電性金属酸化物が挙げられる。透明導電層１２は、単層でも、異なる導電性金属酸化物を含む複数の層の積層体で構成されてもよい。透明導電層１２が単層で構成される場合、透明導電層１２は、高い耐熱性及び耐薬品性を有することから、ＦＴＯを含むことが好ましい。透明導電層１２は、ガラスフリットをさらに含んでもよい。透明導電層１２の厚さは例えば０．０１〜２μｍの範囲にすればよい。
【００３５】
＜酸化物半導体層＞
酸化物半導体層１３は、酸化物半導体粒子で構成される。酸化物半導体粒子は、例えば酸化チタン（ＴｉＯ２）、酸化シリコン（ＳｉＯ２）、酸化亜鉛（ＺｎＯ）、酸化タングステン（ＷＯ３）、酸化ニオブ（Ｎｂ２Ｏ５）、チタン酸ストロンチウム（ＳｒＴｉＯ３）、酸化スズ（ＳｎＯ２）、酸化インジウム（Ｉｎ３Ｏ３）、酸化ジルコニウム（ＺｒＯ２）、酸化タリウム（Ｔａ２Ｏ５）、酸化ランタン（Ｌａ２Ｏ３）、酸化イットリウム（Ｙ２Ｏ３）、酸化ホルミウム（Ｈｏ２Ｏ３）、酸化ビスマス（Ｂｉ２Ｏ３）、酸化セリウム（ＣｅＯ２）、酸化アルミニウム（Ａｌ２Ｏ３）又はこれらの２種以上で構成される。
【００３６】
酸化物半導体層１３は通常、光を吸収するための吸収層で構成されるが、吸収層と吸収層を透過した光を反射して吸収層に戻す反射層とで構成されてもよい。
【００３７】
酸化物半導体層１３の厚さは特に限定されるものではないが、通常は、０．５〜５０μｍとすればよい。
【００３８】
＜第１外部接続端子および第２外部接続端子＞
第１外部接続端子１５ａ及び第２外部接続端子１５ｂは金属材料を含む。金属材料としては、例えば銀、銅およびインジウムなどが挙げられる。これらは単独で又は２種以上を組み合せて用いてもよい。第１外部接続端子１５ａ及び第２外部接続端子１５ｂは例えば金属材料のみからなる焼結体で構成される。
【００３９】
＜接続端子＞
接続端子１６は金属材料を含む。接続端子１６は第１外部接続端子１５ａ及び第２外部接続端子１５ｂと同一の材料で構成されても異なる材料で構成されてもよいが、同一の材料で構成されることが好ましい。
【００４０】
＜集電配線＞
集電配線１７は金属材料を含む。集電配線１７は第１外部接続端子１５ａ及び第２外部接続端子１５ｂと同一の材料で構成されても異なる材料で構成されてもよいが、同一の材料で構成されることが好ましい。
【００４１】
＜色素＞
色素としては、例えばビピリジン構造、ターピリジン構造などを含む配位子を有するルテニウム錯体、ポルフィリン、エオシン、ローダミン、メロシアニンなどの有機色素などの光増感色素や、ハロゲン化鉛系ペロブスカイト結晶などの有機−無機複合色素などが挙げられる。ハロゲン化鉛系ペロブスカイトとしては、例えばＣＨ３ＮＨ３ＰｂＸ３（Ｘ＝Ｃｌ、Ｂｒ、Ｉ）が用いられる。ここで、色素として光増感色素を用いる場合には、光電変換素子１００は色素増感光電変換素子となり、光電変換セル２０は色素増感光電変換セルとなる。
【００４２】
上記色素の中でも、ビピリジン構造又はターピリジン構造を含む配位子を有するルテニウム錯体からなる光増感色素が好ましい。この場合、光電変換素子１００の光電変換特性をより向上させることができる。
【００４３】
＜保護層＞
保護層３０の線膨張係数は、封止部６０の線膨張係数よりも小さければ特に限定されるものではない。すなわち、保護層３０の線膨張係数Ａ１と封止部６０の線膨張係数Ａ２との比（Ａ１／Ａ２）は１より小さければよい。但し、Ａ１／Ａ２は０．３５以下であることが好ましい。この場合、封止部６０が膨張及び収縮して配線部９１のうち少なくとも透明基板１１と反対側の主面９１ａに繰返し応力が加わっても、その応力が保護層３０によってより十分に緩和される。このため、配線部９１のうち少なくとも透明基板１１と反対側の主面９１ａに亀裂が生じることがより十分に抑制される。よって、光電変換素子１００は、温度変化の大きい環境下で使用されても、より優れた耐久性を有することが可能となる。但し、Ａ１／Ａ２は０．１５以上であることが好ましい。この場合、温度変化の大きい環境下で保護層３０に亀裂が生じることがより十分に抑制される。
【００４４】
保護層３０の線膨張係数は特に制限されるものではないが、通常は１５０ｐｐｍ／℃以下であり、好ましくは６０ｐｐｍ／℃以下である。この場合、封止部６０が膨張及び収縮して配線部９１のうち少なくとも透明基板１１と反対側の主面９１ａに繰返し応力が加わっても、その応力が保護層３０によってより十分に緩和される。このため、配線部９１のうち少なくとも透明基板１１と反対側の主面９１ａに亀裂が生じることがより十分に抑制される。よって、光電変換素子１００は、温度変化の大きい環境下で使用されても、より優れた耐久性を有することが可能となる。但し、保護層３０の線膨張係数は２５ｐｐｍ／℃以上であることが好ましい。この場合、温度変化の大きい環境下で保護層３０に亀裂が生じることがより十分に抑制される。
【００４５】
保護層３０の樹脂層に含まれる樹脂材料は、絶縁性を有するものであれば特に限定されるものではない。樹脂材料としては、例えばポリイミド樹脂、エポキシ樹脂、ポリウレタン樹脂、アクリルウレタン樹脂及びポリエチレンテレフタレート（ＰＥＴ）樹脂などが挙げられる。中でもポリイミド樹脂が好ましい。この場合、保護層３０の下にある領域の隠蔽性に優れるとともに、より優れた絶縁性を保護層３０に付与できる。
【００４６】
保護層３０は、透明基板１１側に樹脂材料（絶縁材料）からなる樹脂層を有していればよい。従って、保護層３０は、樹脂材料からなる１つの樹脂層のみで構成されてもよいし、樹脂材料からなる複数の樹脂層の積層体で構成されてもよい。また保護層３０は、樹脂層に対して透明基板１１と反対側に金属層などをさらに有していてもよい。
【００４７】
保護層３０の色は、特に限定されるものではないが、少なくとも透明基板１１側の樹脂層が黒色であることが好ましい。この場合、保護層３０のうち少なくとも透明基板１１側の樹脂層が黒色であると、保護層３０の側から紫外線を照射しても、光電変換素子１００が劣化しにくくなったり、熱放射が大きくなって光電変換セル２０で発生した熱が放出されやすくなったりする。
【００４８】
保護層３０の厚さは特に限定されないが、３０〜３００μｍであることが好ましい。この場合、保護層３０の耐熱性がより高くなる。
【００４９】
＜対向基板＞
対向基板５０は、上述したように、基板と電極とを兼ねる金属基板５１と、触媒層５２とを備える。
【００５０】
（金属基板）
金属基板５１は、金属で構成されればよいが、この金属は、不動態を形成し得る金属であることが好ましい。この場合、金属基板５１が電解質８０によって腐食されにくくなるため、光電変換素子１００は、より優れた耐久性を有することが可能となる。不動態を形成し得る金属としては、例えばチタン、ニッケル、モリブデン、タングステン、アルミニウム、ステンレス又はこれらの合金等が挙げられる。金属基板５１の厚さは、光電変換素子１００のサイズに応じて適宜決定され、特に限定されるものではないが、例えば０．００５〜０．１ｍｍとすればよい。
【００５１】
（触媒層）
触媒層５２は、白金、炭素系材料又は導電性高分子などから構成される。ここで、炭素系材料としては、カーボンブラックやカーボンナノチューブが好適に用いられる。
【００５２】
＜封止部＞
封止部６０を構成する材料としては、例えばアイオノマー、エチレン−ビニル酢酸無水物共重合体、エチレン−メタクリル酸共重合体、エチレン−ビニルアルコール共重合体等を含む変性ポリオレフィン樹脂、紫外線硬化樹脂、及び、ビニルアルコール重合体などの樹脂が挙げられる。これらの樹脂は単独で又は２種以上を組み合わせて用いることができる。
【００５３】
封止部６０の厚さは特に限定されないが、通常は１０〜５０μｍであり、好ましくは２０〜４０μｍである。この場合、封止部６０の内部への水の侵入をより十分に抑制できる。
【００５４】
＜絶縁層＞
絶縁層７０は絶縁材料で構成されていればよい。このような絶縁材料としては、樹脂や無機絶縁材料が挙げられるが、中でも、無機絶縁材料が好ましい。この場合、絶縁層７０は封止部６０の外周縁７０ｃより内側で溝４０だけでなく電極１２Ａ全体をも覆っており、無機材料は樹脂よりも高い封止能を有するため、溝４０からの水分の侵入をより十分に抑制できる。このような無機絶縁材料としては、例えばガラスが挙げられる。
【００５５】
絶縁層７０を構成する絶縁材料は着色されていることが好ましい。この場合、光電変換素子１００を受光面１１ａ側から見た場合、対向基板５０が際立って見えることを十分に抑制することが可能となる。このため、良好な外観を実現することができる。また、電極１２Ａを着色させないで済むため、光電変換素子１００の光電変換特性の低下を十分に抑制することができる。着色された絶縁材料としては、例えば着色されたガラス等の無機絶縁材料が用いられる。
【００５６】
絶縁層７０が着色される場合、その色は限り特に限定されるものではなく、目的に応じて種々の色を用いることが可能である。
【００５７】
絶縁層７０の厚さは特に限定されるものではないが、通常は１０〜３０μｍであり、好ましくは１５〜２５μｍである。
【００５８】
＜電解質＞
電解質８０は、酸化還元対と有機溶媒とを含んでいる。有機溶媒としては、アセトニトリル、メトキシアセトニトリル、メトキシプロピオニトリル、プロピオニトリル、エチレンカーボネート、プロピレンカーボネート、ジエチルカーボネート、γ−ブチロラクトン、バレロニトリル、ピバロニトリルなどを用いることができる。酸化還元対としては、ヨウ化物イオン／ポリヨウ化物イオン（例えばＩ−／Ｉ３−）のほか、臭化物イオン（臭素イオン）／ポリ臭化物イオン、亜鉛錯体、鉄錯体、コバルト錯体などのレドックス対が挙げられる。なお、ヨウ化物イオン／ポリヨウ化物イオンは、ヨウ素（Ｉ２）と、アニオンとしてのアイオダイド（Ｉ−）を含む塩（イオン性液体や固体塩）とによって形成することができる。アニオンとしてアイオダイドを有するイオン性液体を用いる場合には、ヨウ素のみ添加すればよく、有機溶媒や、アニオンとしてアイオダイド以外のイオン性液体を用いる場合には、ＬｉＩやテトラブチルアンモニウムアイオダイドなどのアニオンとしてアイオダイド（Ｉ−）を含む塩を添加すればよい。
【００５９】
また電解質８０は、有機溶媒に代えて、イオン液体を用いてもよい。イオン液体としては、例えばピリジニウム塩、イミダゾリウム塩、トリアゾリウム塩等の既知のヨウ素塩であって、室温付近で溶融状態にある常温溶融塩が用いられる。このような常温溶融塩としては、例えば、１−ヘキシル−３−メチルイミダゾリウムヨーダイド、１−エチル−３−プロピルイミダゾリウムヨーダイド、ジメチルイミダゾリウムヨーダイド、エチルメチルイミダゾリウムヨーダイド、ジメチルプロピルイミダゾリウムヨーダイド、ブチルメチルイミダゾリウムヨーダイド、又は、メチルプロピルイミダゾリウムヨーダイドが好適に用いられる。
【００６０】
また、電解質８０は、上記有機溶媒に代えて、上記イオン液体と上記有機溶媒との混合物を用いてもよい。
【００６１】
また電解質８０には添加剤を加えることができる。添加剤としては、ＬｉＩ、Ｉ２、４−ｔ−ブチルピリジン、グアニジウムチオシアネート、１−メチルベンゾイミダゾール、１−ブチルベンゾイミダゾールなどが挙げられる。
【００６２】
さらに電解質８０としては、上記電解質にＳｉＯ２、ＴｉＯ２、カーボンナノチューブなどのナノ粒子を混練してゲル様となった擬固体電解質であるナノコンポジットゲル電解質を用いてもよく、また、ポリフッ化ビニリデン、ポリエチレンオキサイド誘導体、アミノ酸誘導体などの有機系ゲル化剤を用いてゲル化した電解質を用いてもよい。
【００６３】
なお、電解質８０は、ヨウ化物イオン／ポリヨウ化物イオン（例えばＩ−／Ｉ３−）からなる酸化還元対を含み、ポリヨウ化物イオンの濃度が０．００６ｍｏｌ／リットル以下であることが好ましい。この場合、電子を運ぶポリヨウ化物イオンの濃度が低いため、漏れ電流をより減少させることができる。このため、開放電圧をより増加させることができるため、光電変換特性をより向上させることができる。特に、ポリヨウ化物イオンの濃度は０．００５ｍｏｌ／リットル以下であることが好ましく、０〜６×１０−６ｍｏｌ／リットルであることがより好ましく、０〜６×１０−８ｍｏｌ／リットルであることがさらに好ましい。この場合、光電変換素子１００を透明基板１１の受光面１１ａ側から見た場合に、電解質８０の色を目立たなくすることができる。
【００６４】
＜導電部材＞
導電部材９０は、上述したように、配線部９１と本体部９２とを有する。導電部材９０は金属材料を含む。金属材料としては、例えば銀又は銅などを用いることができる。導電部材９０は、金属材料のほか、さらにバインダ樹脂を含んでもよい。バインダ樹脂としては、例えばエポキシ樹脂、ポリエステル樹脂およびアクリル樹脂などが挙げられる。中でも、高温になっても熱膨張しにくく、抵抗の経時的変化をより小さくできることから、エポキシ樹脂やポリエステル樹脂が好ましい。
【００６５】
導電部材９０の配線部９１の一部、及び、本体部９２は、金属基板５１に直接接続される第１層と、第１層の上に設けられる第２層とを有する積層体で構成されてもよい。この場合、第１層は、金属材料、バインダ樹脂及びカーボンを含み、第２層は、金属材料及びバインダ樹脂を含み、第１層中のカーボンの含有率が、第２層中のカーボンの含有率よりも大きいことが好ましい。この場合、導電部材９０が金属基板５１から剥離しにくくなる。
【００６６】
次に、光電変換素子１００の製造方法について図１及び図３〜図６を参照しながら説明する。図６は、図１の光電変換素子の製造方法の途中で得られる構造体を示す断面図である。
【００６７】
まず１つの透明基板１１のセル設置面１１ｂ上に透明導電膜を形成してなる積層体を用意する。
【００６８】
透明導電膜の形成方法としては、スパッタ法、蒸着法、スプレー熱分解法又はＣＶＤ法などが用いられる。
【００６９】
次に、図３に示すように、透明導電膜に対して溝４０を形成し、透明導電層１２を形成する。このとき、透明導電層１２は、電極１２Ａ、第１電流取出し部１２Ｂ、分離部１２Ｃ及び第２電流取出し部１２Ｄが形成されるように形成する。
【００７０】
溝４０は、例えばＹＡＧレーザ又はＣＯ２レーザ等を光源として用いたレーザスクライブ法によって形成することができる。
【００７１】
次に、第１電流取出し部１２Ｂ上に第１外部接続端子１５ａの前駆体及び接続端子１６の前駆体を互いに離間するように形成する。第１外部接続端子１５ａの前駆体及び接続端子１６の前駆体は、例えば銀ペーストを塗布し乾燥させることで形成することができる。
【００７２】
また、第２電流取出し部１２Ｄ上には、第２外部接続端子１５ｂの前駆体を形成する。第２外部接続端子１５ｂの前駆体は、例えば銀ペーストを塗布し乾燥させることで形成することができる。
【００７３】
また、電極１２Ａと第２電流取出し部１２Ｄとにまたがるように集電配線１７の前駆体を形成する。このとき、集電配線１７の前駆体は、そ一端が、第２電流取出し部１２Ｄ上であって第２外部接続端子１５ｂの前駆体と離間した位置に配置され、他端が、電極１２Ａ上の位置に配置されるように形成される。集電配線１７の前駆体は、例えば銀ペーストを塗布し乾燥させることで形成することができる。
【００７４】
さらに、透明導電層１２のうち、酸化物半導体層１３が形成される予定の領域（以下、「半導体層形成予定領域」と呼ぶ）、接続端子−外部接続端子間領域１０１、及び、配線−外部接続端子間領域１０２以外の領域を覆い隠すように絶縁層７０の前駆体を形成する。このとき、絶縁層７０の前駆体は、溝４０に入り込むように形成する。絶縁層７０の前駆体は、例えば無機絶縁材料を含むペーストを塗布し乾燥させることによって形成することができる。
【００７５】
次に、第１外部接続端子１５ａの前駆体、第２外部接続端子１５ｂの前駆体、接続端子１６の前駆体、集電配線１７の前駆体及び絶縁層７０の前駆体を一括して焼成し、第１外部接続端子１５ａ、第２外部接続端子１５ｂ、接続端子１６、集電配線１７及び絶縁層７０を形成する。
【００７６】
このとき、焼成温度は絶縁材料の種類などにより異なるが、通常は３５０〜６００℃であり、焼成時間も、絶縁材料の種類により異なるが、通常は１〜５時間である。
【００７７】
次に、電極１２Ａのうち半導体層形成予定領域上に酸化物半導体層１３の前駆体を形成する。
【００７８】
酸化物半導体層１３の前駆体は、酸化物半導体層１３を形成するための酸化物半導体層用ペーストを印刷した後、乾燥することによって得られる。酸化物半導体層用ペーストは、酸化チタンのほか、ポリエチレングリコール、エチルセルロースなどの樹脂及び、テルピネオールなどの溶媒を含む。
【００７９】
酸化物半導体層用ペーストの印刷方法としては、例えばスクリーン印刷法、ドクターブレード法、又はバーコート法などを用いることができる。
【００８０】
次に、酸化物半導体層１３の前駆体を焼成し、酸化物半導体層１３を形成する。
【００８１】
このとき、焼成温度は酸化物半導体粒子の種類などにより異なるが、通常は３５０〜６００℃であり、焼成時間も、酸化物半導体粒子の種類により異なるが、通常は１〜５時間である。
【００８２】
こうして、図６に示すように、構造体Ａが得られる。
【００８３】
次に、封止部６０を形成するための封止部形成体を準備する。封止部形成体は、例えば封止部６０を構成する材料からなる１枚の封止用樹脂フィルムを用意し、その封止用樹脂フィルムに開口を形成することによって得ることができる。
【００８４】
そして、図５に示すように、この封止部形成体を構造体Ａの上に接着させる。このとき、封止部形成体は、絶縁層７０と重なるように且つ酸化物半導体層１３が内側に配置されるように構造体Ａに接着させる。封止部形成体の構造体Ａへの接着は、例えば封止部形成体を加熱溶融させることによって行うことができる。
【００８５】
次に、構造体Ａの酸化物半導体層１３に色素を担持させる。このためには、例えば構造体Ａを、色素を含有する色素溶液の中に浸漬させ、その色素を酸化物半導体層１３に吸着させた後に上記溶液の溶媒成分で余分な色素を洗い流し、乾燥させればよい。
【００８６】
次に、酸化物半導体層１３の上に電解質８０を配置する。
【００８７】
一方、対向基板５０を用意する。対向基板５０は、例えば金属基板５１上に導電性の触媒層５２を形成することにより得ることができる。
【００８８】
次に、上述した封止部形成体をもう１つ用意する。そして、対向基板５０を、封止部形成体の開口を塞ぐように貼り合わせる。
【００８９】
次に、対向基板５０に接着した封止部形成体と、電解質８０が配置された構造体Ａに接着した封止部形成体とを重ね合わせ、封止部形成体を加圧しながら加熱溶融させる。こうして構造体Ａの透明基板１１と対向基板５０との間に封止部６０が形成される。封止部６０の形成は、大気圧下で行っても減圧下で行ってもよいが、減圧下で行うことが好ましい。
【００９０】
そして、図４に示すように、接続端子１６と対向基板５０の金属基板５１とを導電部材９０によって接続する。このとき、導電部材９０は、導電部材９０を構成する金属材料を含むペーストを用意し、このペーストを、対向基板５０の金属基板５１と接続端子１６とを接続するように塗布し、硬化させる。上記ペーストとしては、酸化物半導体層１３に担持される色素への悪影響を避ける観点から、９０℃以下の温度で硬化させることが可能な低温硬化型のペーストを用いることが好ましい。
【００９１】
最後に、保護層３０を形成する。保護層３０は、光電変換セル２０のみならず、透明基板１１上の領域のうち、第１外部接続端子１５ａ及び第２外部接続端子１５ｂ以外の領域を覆うように形成する。すなわち、保護層３０は、光電変換セル２０のみならず、絶縁層７０の外側絶縁層７０ｂ、接続端子−外部接続端子間領域１０１、配線−外部接続端子間領域１０２、外部接続端子間領域１０３、及び、配線−接続端子間領域１０４をも覆い隠すように形成する。またこのとき、保護層３０は、導電部材９０の配線部９１のうち透明基板１１と反対側の主面９１ａを覆って金属基板５１に固定されるように形成する。
【００９２】
以上のようにして光電変換素子１００が得られる（図１参照）。
【００９３】
≪第２実施形態≫
次に、本発明の光電変換素子の第２実施形態について図７を参照しながら詳細に説明する。図７は、本発明の光電変換素子の第２実施形態を示す平面図である。
【００９４】
図７に示すように、本実施形態の光電変換素子２００は、保護層３０を有さず、接続端子−外部接続端子間領域１０１及び配線−外部接続端子間領域１０２が露出されている点で第１実施形態の光電変換素子１００と相違する。
【００９５】
この光電変換素子２００によれば、第１外部接続端子１５ａと接続端子１６とが離間している。このため、光電変換素子２００の第１外部接続端子１５ａにはんだ付けでリード線を接続する際に、第１外部接続端子１５ａから接続端子１６に熱が伝わりにくくなり、その熱が導電部材９０にまで伝わりにくくなって導電部材９０において断線や抵抗上昇等の不具合が発生しにくくなる。このため、光電変換素子２００は、リード線付き光電変換素子を歩留まり良く製造できる。また、接続端子−外部接続端子間領域１０１が露出されており、接続端子−外部接続端子間領域１０１に何も接着されていない。このため、接続端子−外部接続端子間領域１０１にガラス層が接着されている場合に比べて、光電変換素子２００は優れた光電変換特性を有することが可能となる。
【００９６】
また、光電変換素子２００においては、配線−外部接続端子間領域１０２が露出されている。このため、第２外部接続端子１５ｂと第１集電配線端１７ａとが離間している。このため、光電変換素子２００の第２外部接続端子１５ｂにはんだ付けでリード線を接続する際に、第２外部接続端子１５ｂから第１集電配線端１７ａに熱が伝わりにくくなり、その熱が集電配線１７にまで伝わりにくくなって集電配線１７において断線や抵抗上昇等の不具合が発生しにくくなる。このため、光電変換素子２００は、リード線付き光電変換素子をより一層歩留まり良く製造できる。配線−外部接続端子間領域１０２が露出されており、配線−外部接続端子間領域１０２に何も接着されていない。このため、配線−外部接続端子間領域１０２にガラス層が接着されている場合に比べて、光電変換素子２００は優れた光電変換特性を有することが可能となる。
【００９７】
本発明は、上記第１及び第２実施形態に限定されるものではない。例えば上記第１実施形態では、接続端子−外部接続端子間領域１０１及び配線−外部接続端子間領域１０２が保護層３０によって覆い隠されているが、第１実施形態では、接続端子−外部接続端子間領域１０１及び配線−外部接続端子間領域１０２は、その一部が保護層３０で覆われず、露出されていてもよい。別言すると、保護層３０の周縁部３０Ａは第１外部接続端子１５ａ及び第２外部接続端子１５ｂから離間していてもよい。
【００９８】
また上記第１実施形態では、保護層３０は、光電変換セル２０のみならず、絶縁層７０の外側絶縁層７０ｂ、接続端子−外部接続端子間領域１０１、配線−外部接続端子間領域１０２、外部接続端子間領域１０３、及び、配線−接続端子間領域１０４をも覆い隠すように形成されているが、第１実施形態では、保護層３０は、導電部材９０のうち透明基板１１と反対側の主面９１ａを覆って金属基板５１に固定され、透明基板１１のセル設置面１１ｂに直交する方向に光電変換素子１００を見た場合に、保護層３０の周縁部３０Ａが、接続端子１６を超えて接続端子−外部接続端子間領域１０１まで延びように設けられていさえすればよい。
【００９９】
また、上記第２実施形態では、配線−外部接続端子間領域１０２が露出されているが、配線−外部接続端子間領域１０２は必ずしも露出されていなくてもよく、絶縁層７０で覆われていてもよい。
【０１００】
さらに、上記第１及び第２実施形態では、絶縁層７０が封止部６０の外周縁より内側で電極１２Ａの全部を覆っているが、絶縁層７０が封止部６０の外周縁より内側で電極１２Ａの一部のみを覆っていてもよい。
【０１０１】
また、上記第１及び第２実施形態では、絶縁層７０は、内側絶縁層７０ａと外側絶縁層７０ｂとで構成されているが、絶縁層７０は内側絶縁層７０ａのみで構成されてもよい。さらに上記実施形態では、光電変換素子１００が絶縁層７０を有しているが、絶縁層７０を有していなくてもよい。
【０１０２】
また上記第１及び第２実施形態では、光電変換素子１００が集電配線１７を有しているが、本発明の光電変換素子は、必ずしも集電配線１７を有していなくてもよい。
【０１０３】
さらに上記第１及び第２実施形態では、分離部１２Ｃが透明基板１１上に、電極１２Ａ及び第２電流取出し部１２Ｄを包囲するように設けられているが、分離部１２Ｃは、透明基板１１上に設けられていなくてもよい。
【０１０４】
さらに上記第１及び第２実施形態では、透明基板１１上に１つの光電変換セル２０のみが設けられているが、光電変換素子１００では、透明基板１１上に複数の光電変換セル２０が設けられてもよい。この場合、複数の光電変換セル２０は直列に接続されてもよいし、並列に接続されてもよい。複数の光電変換セル２０が直列に接続される場合、第１電流取出し部１２Ｂは、複数の光電変換セル２０のうちの一端側の光電変換セル２０の対向基板５０に接続され、第２電流取出し部１２Ｄは、他端側の光電変換セル２０の電極１２Ａに接続される。また、複数の光電変換セル２０が並列に接続される場合、第１電流取出し部１２Ｂは、導電部材９０によって複数の光電変換セル２０のうちの全ての光電変換セル２０の対向基板５０に接続され、第２電流取出し部１２Ｄは、複数の光電変換セル２０のうちの全ての光電変換セル２０の電極１２Ａに接続される。
【実施例】
【０１０５】
以下、本発明の内容を、実施例を挙げてより具体的に説明するが、本発明は下記の実施例に限定されるものではない。
【０１０６】
（実施例１）
まず無アルカリガラスからなり、１１２ｍｍ×５６ｍｍの寸法を有する厚さ２．２ｍｍの透明基板の上に、厚さ０．７μｍのＦＴＯからなる透明導電膜を形成してなる積層体を準備した。次に、図３に示すように、ＹＡＧレーザによって透明導電膜に溝４０を形成し、透明導電層１２を形成した。このとき、透明導電層１２は、電極１２Ａ、第１電流取出し部１２Ｂ、分離部１２Ｃ及び第２電流取出し部１２Ｄが形成されるように形成した。このとき、溝４０の幅は０．１ｍｍとした。また電極１２Ａは、５４．４ｍｍ×１０４．５ｍｍの四角形状となるように形成し、第２電流取出し部１２Ｄは、電極１２Ａの一辺から延出し、四角形状となるように形成した。第２電流取出し部１２Ｄの延出方向の長さは４．３ｍｍとし、第２電流取出し部１２Ｄの幅は２７．２ｍｍとした。
【０１０７】
また、第１電流取出し部１２Ｂは、２７．２ｍｍ×４．３ｍｍの寸法となるように形成した。
【０１０８】
次に、第１電流取出し部１２Ｂ上に第１外部接続端子１５ａの前駆体及び接続端子１６の前駆体を矩形状に且つ互いに離間するように形成した。このとき、第１外部接続端子１５ａの前駆体は８ｍｍ×１．８ｍｍの寸法、接続端子１６の前駆体は、８ｍｍ×０．３ｍｍの寸法となるように形成した。
【０１０９】
また第２電流取出し部１２Ｄ上には、第２外部接続端子１５ｂの前駆体を矩形状に形成した。このとき、第２外部接続端子１５ｂの前駆体は、８ｍｍ×１．８ｍｍの寸法となるように形成した。
【０１１０】
また、第２電流取出し部１２Ｄと電極１２Ａとにまたがるように集電配線１７を形成した。このとき、集電配線１７の前駆体の一端が、第２電流取出し部１２Ｄ上であって第２外部接続端子１５ｂの前駆体と離間した位置に配置され、集電配線１７の前駆体の他端が、電極１２Ａ上の位置に配置されるように配置されるように集電配線１７の前駆体を形成した。また、集電配線１７の前駆体は、Ｌ字状で且つ幅０．３ｍｍ×長さ２１．６ｍｍの寸法を有する部分と幅０．３ｍｍ×長さ１０５．１ｍｍの寸法を有する部分とを有するように形成した。
【０１１１】
なお、接続端子１６の前駆体、第１外部接続端子１５ａの前駆体、第２外部接続端子１５ｂの前駆体及び集電配線１７の前駆体はいすれも、銀ペーストを塗布し乾燥させることで形成した。
【０１１２】
次に、透明導電層１２のうち、半導体層形成予定領域（４７．２ｍｍ×１０２．１ｍｍの領域）、接続端子−外部接続端子間領域１０１、及び、配線−外部接続端子間領域１０２以外の領域を覆い隠すように絶縁層７０の前駆体を形成した。このとき、絶縁層７０の前駆体は、溝４０に入り込むように形成した。絶縁層７０の前駆体は、ガラスフリット（商品名「ＰＬＦＯＣ−８３７Ｂ」、奥野製薬工業株式会社製）を含むペーストを塗布し乾燥させることによって形成した。
【０１１３】
次に、第１外部接続端子１５ａの前駆体、第２外部接続端子１５ｂの前駆体、接続端子１６の前駆体、集電配線１７の前駆体及び絶縁層７０の前駆体を一括して焼成し、第１外部接続端子１５ａ、第２外部接続端子１５ｂ、接続端子１６、集電配線１７および絶縁層７０を形成した。このとき、焼成温度は５００℃とし、焼成時間は１時間とした。また、このとき、第１外部接続端子１５ａと接続端子１６との間の間隔Ｌは４．０ｍｍであった。また、第２外部接続端子１５ｂと第１集電配線端１７ａとの間の間隔Ｌ´は４．０ｍｍであった。
【０１１４】
さらに、電極１２Ａのうち半導体層形成予定領域上に酸化物半導体層１３の前駆体を形成した。このとき、酸化物半導体層１３の前駆体は、酸化チタンを含むペーストを、スクリーン印刷により絶縁層７０の内側に充填されるように塗布し、１５０℃で１０分間乾燥させることにより得た。
【０１１５】
次に、酸化物半導体層１３の前駆体を焼成し、酸化物半導体層１３を形成した。このとき、焼成温度は５００℃とし、焼成時間は１時間とした。こうして構造体Ａを得た。
【０１１６】
次に、封止部を形成するための封止部形成体を準備した。封止部形成体は、５１．２ｍｍ×１０６．１ｍｍ×３５μｍの無水マレイン酸変性ポリエチレン（商品名「バイネル」、デュポン社製、線膨張係数：１８０ｐｐｍ／℃）からなる１枚の封止用樹脂フィルムを用意し、その封止用樹脂フィルムに、１０２．１０ｍｍ×４７．２０ｍｍの１つの四角形状の開口を形成することによって得た。
【０１１７】
そして、この封止部形成体を構造体Ａ上に重ね合わせた後、封止部形成体を加熱溶融させることによって構造体Ａ上の絶縁層７０に接着させた。このとき、封止部形成体は、絶縁層７０と重なるように且つ酸化物半導体層１３と接続端子１６及び集電配線１７との間に配置されるように構造体Ａに接着させた。
【０１１８】
次に、上記のようにして得られた構造体Ａを、Ｚ９０７からなる光増感色素を０．２ｍＭ含み、溶媒を、アセトニトリルとｔｅｒｔブタノールとを１：１の体積比で混合してなる混合溶媒とした色素溶液中に一昼夜浸漬させた後、取り出して乾燥させ、酸化物半導体層に光増感色素を担持させた。
【０１１９】
次に、ジメチルプロピルイミダゾリウムヨーダイドおよび３−メトキシプロピオニトリルの混合物に、Ｉ２、メチルベンゾイミダゾール、ブチルベンゾイミダゾール、グアニジウムチオシアネート及びｔ−ブチルピリジンを加えて得られる電解質８０を用意した。そして、酸化物半導体層１３の上に、上記電解質８０を滴下して塗布し、電解質８０を配置した。
【０１２０】
次に、１枚の対向基板５０を用意した。対向基板５０は、５１．２ｍｍ×１０６．１ｍｍ×４０μｍのチタン箔の上にスパッタリング法によって厚さ５ｎｍの白金からなる触媒層を形成することによって用意した。また、上記封止部形成体をもう１つ準備した。そして、対向基板５０を、封止部形成体の開口を塞ぐように貼り合わせた。
【０１２１】
そして、対向基板５０に接着した封止部形成体と、電解質８０が配置された構造体Ａに接着した封止部形成体とを減圧下で重ね合わせ、封止部形成体を加圧しながら加熱溶融させた。こうして構造体Ａと対向基板との間に封止部を形成した。このとき、封止部の厚さは４０μｍであり、封止部の幅は２ｍｍであった。
【０１２２】
次に、接続端子１６と対向基板５０の金属基板５１とを以下のようにして導電部材９０によって接続した。
【０１２３】
すなわち、まず銀粒子（平均粒径：３．５μｍ）、カーボン（平均粒径：５００ｎｍ）、ポリエステル系樹脂をジエチレングリコールモノエチルエーテルアセテートからなる溶媒中に分散させ、第１導電性ペーストを作製した。このとき、銀粒子、カーボン、ポリエステル系樹脂および溶媒は、７０：１：１０：１９の質量比で混合した。
【０１２４】
一方、銀粒子（平均粒径：２μｍ）及びポリエステル系樹脂を酢酸エチレングリコールモノブチルエーテルからなる溶媒中に分散させ、第２導電性ペーストを作製した。このとき、銀粒子、ポリエステル系樹脂および溶媒は、６５：１０：２５の質量比で混合した。
【０１２５】
そして、金属基板５１の上に上記第１導電性ペーストを塗布して本体部９２の前駆体の一部、及び、配線部９１の前駆体の一部を形成した。その後、上記第２導電性ペーストを、本体部９２の前駆体の一部、及び、配線部９１の前駆体の一部の上に塗布するとともに、第１電流取出し部１２Ｂ上の接続端子１６と配線部９１の前駆体の一部とを接続するように塗布した。こうして導電部材９０の前駆体を形成した。そして、この導電部材９０の前駆体を８５℃で１２時間加熱して硬化させることによって、導電部材９０を形成した。こうして、本体部９２と３本の配線部９１とからなる導電部材９０を形成した。このとき、本体部９２及び３本の配線部９１の一部は一体として、４１．２ｍｍ×４．５ｍｍ×厚さ６０μｍの寸法を有するように形成し、３本の配線部９１の残部はそれぞれ、２ｍｍ×４．７ｍｍ×厚さ３０μｍの寸法を有するように形成した。
【０１２６】
次に、厚さ５０μｍのポリイミドテープ（商品名「テサテープ６７３５０」、テサテープ社製、線膨張係数：３０ｐｐｍ／℃）からなる保護層３０を、光電変換セル２０を覆うように貼り付けた。このとき、保護層３０は、光電変換セル２０のみならず、透明基板１１上の領域のうち、第１外部接続端子１５ａ及び第２外部接続端子１５ｂ以外の領域を覆うように貼り付けた。すなわち、保護層３０は、光電変換セル２０のみならず、絶縁層７０の外側絶縁層７０ｂ、接続端子−外部接続端子間領域１０１、配線−外部接続端子間領域１０２、外部接続端子間領域１０３、及び、配線−接続端子間領域１０４をも覆い隠すように貼り付けた。このとき、保護層３０は、導電部材９０の主面９１ａを覆うようにし、透明基板１１のセル設置面１１ｂに直交する方向に光電変換素子１００を見た場合に、保護層３０の周縁部３０Ａが、接続端子１６を超えて接続端子１６と第１外部接続端子１５ａとの間の接続端子−外部接続端子間領域１０１まで延びるように且つ保護層３０の周縁部３０Ａのうち樹脂層が接続端子−外部接続端子間領域１０１に直接接着されるように貼り付けた。以上のようにして光電変換素子１００を得た。
【０１２７】
(実施例２〜４）
第１外部接続端子１５ａと接続端子１６との間の間隔Ｌを表１に示す通りにしたこと以外は実施例１と同様にして光電変換素子を作製した。
【０１２８】
(実施例５〜８）
保護層３０を設けず、接続端子−外部接続端子間領域１０１を露出させるとともに、第１外部接続端子１５ａと接続端子１６との間の間隔Ｌを表１に示す通りにしたこと以外は実施例１と同様にして光電変換素子を作製した。
【０１２９】
（比較例１〜４）
保護層３０を設けず、第１外部接続端子１５ａと接続端子１６との間の間隔Ｌを表１に示す通りにするとともに、接続端子―外部接続端子間領域１０１上に低融点ガラスからなる厚さ３０μｍのガラス層を直接接着させたこと以外は実施例１と同様にして光電変換素子を作製した。このとき、ガラス層は、接続端子１６の幅方向に平行な方向に沿った長さｐ（ｍｍ）を表１に示す通りとし、接続端子の長手方向に平行な方向に沿った長さを９ｍｍとした。
【０１３０】
（比較例５〜８）
保護層３０を設けず、第１電流取出し部１２Ｂ上に第１外部接続端子１５ａ、接続端子１６及びこれらを接続する銀層を形成し、第１外部接続端子１５ａと接続端子１６との間の間隔Ｌを表１に示す通りにしたこと以外は実施例１と同様にして光電変換素子を作製した。
【０１３１】
［特性評価］
上記のようにして得られた実施例１〜８及び比較例１〜８の光電変換素子について、以下のようにして光電変換特性、耐久性、及び、リード線付きの光電変換素子の製造歩留まりを評価した。
【０１３２】
＜光電変換特性＞
実施例１〜８及び比較例１〜８の光電変換素子をそれぞれ２０個ずつ用意し、これらの光電変換素子について、白色ＬＥＤから２００ルクス及び２０００ルクスの照度の光を照射して発電量（μＷ）及び形状因子ＦＦを測定した。結果を表１に示す。なお、光電変換特性の合格基準は以下の通りとした。
（合格基準）２００ルクスの照度で発電量が２８０μＷ以上であり且つ２０００ルクスの照度で発電量が２８００μＷ以上であること
【０１３３】
＜製造歩留まり＞
実施例１〜８及び比較例１〜８の光電変換素子をそれぞれ２０個ずつ用意し、これらの光電変換素子について、はんだ付けでリード線を第１外部接続端子１５ａに接続した。そして、２０個の光電変換素子のうち、不具合が生じた光電変換素子の数（Ｑ）を求め、下記式に基づき、製造歩留まりを算出した。結果を表１に示す。
製造歩留まり＝１００×（２０−Ｑ）／２０
なお、「不具合」とは、はんだ付け作業時に生じた導電部材の断線（部分断線を含む）、熱溶融、熱変色などである。また、製造歩留まりの合格基準は以下の通りとした。
（合格基準）製造歩留まりが１００％であること
【０１３４】
＜耐久性＞
実施例１〜８及び比較例１〜８の光電変換素子をそれぞれ２０個ずつ用意し、これらの光電変換素子について、ＪＩＳ  Ｃ８９３８に準拠してヒートサイクル試験を行い、試験後に白色ＬＥＤから２００ルクスの照度の光を照射して発電量を測定した。結果を表１に示す。
【表１】
2018081991.tif 000003
【０１３５】
表１に示す結果より、実施例１〜８の光電変換素子は、光電変換特性、及び、リード線付きの光電変換素子の製造歩留まりの点で合格基準に達していた。これに対し、比較例１〜８の光電変換素子は、光電変換特性、及び、リード線付きの光電変換素子を製造歩留まりのいずれかの点で合格基準に達していなかった。
【０１３６】
以上の結果より、本発明の光電変換素子によれば、優れた光電変換特性を有しながら、リード線付き光電変換素子を歩留まり良く製造できることが確認された。
【符号の説明】
【０１３７】
１１…透明基板
１１ｂ…セル設置面（一面）
１２Ａ…電極
１２Ｂ…第１電流取出し部
１５ａ…第１外部接続端子
１６…接続端子
２０…光電変換セル
３０…保護層
３０Ａ…保護層の周縁部
５０…対向基板
５１…金属基板
６０…封止部
７０…絶縁層
９０…導電部材
９１…配線部
９１ａ…導電部材のうち透明基板と反対側の主面
１００，２００…光電変換素子
１０１…接続端子−外部接続端子間領域
１０２…配線−外部接続端子間領域
【図１】
2018081991.tif 000004
【図２】
2018081991.tif 000005
【図３】
2018081991.tif 000006
【図４】
2018081991.tif 000007
【図５】
2018081991.tif 000008
【図６】
2018081991.tif 000009
【図７】
2018081991.tif 000010
【手続補正書】
【提出日】平成30年2月8日(2018.2.8)
【手続補正１】
【補正対象書類名】特許請求の範囲
【補正対象項目名】全文
【補正方法】変更
【補正の内容】
【特許請求の範囲】
【請求項１】
透明基板と、
前記透明基板の一面上に設けられる少なくとも１つの光電変換セルと、
前記透明基板の前記一面上に設けられ、前記少なくとも１つの光電変換セルから電流を取り出すための導電性の第１電流取出し部とを備える光電変換素子であって、
前記光電変換セルが、
前記透明基板の前記一面上に設けられる電極と、
前記電極に対向し、金属基板を有する対向基板と、
前記透明基板及び前記対向基板の間に設けられる環状の封止部とを有し、
前記光電変換素子が、
前記第１電流取出し部上に設けられる第１外部接続端子と、
前記第１電流取出し部上であって前記第１外部接続端子と前記封止部との間に前記第１外部接続端子と離間して設けられる接続端子と、
前記接続端子と前記金属基板とを接続する導電部材とを有し、
前記光電変換素子を前記透明基板の前記一面に直交する方向に見た場合に、前記封止部の外周縁より外側で、前記電極及び前記第１電流取出し部を含む透明導電層のうち、前記接続端子と前記第１外部接続端子との間の接続端子−外部接続端子間領域の全部のみが露出されている、光電変換素子。
【請求項２】
透明基板と、
前記透明基板の一面上に設けられる少なくとも１つの光電変換セルと、
前記透明基板の前記一面上に設けられ、前記少なくとも１つの光電変換セルから電流を取り出すための導電性の第１電流取出し部とを備える光電変換素子であって、
前記光電変換セルが、
前記透明基板の前記一面上に設けられる電極と、
前記電極に対向し、金属基板を有する対向基板と、
前記透明基板及び前記対向基板の間に設けられる環状の封止部とを有し、
前記光電変換素子が、
前記第１電流取出し部上に設けられる第１外部接続端子と、
前記第１電流取出し部上であって前記第１外部接続端子と前記封止部との間に前記第１外部接続端子と離間して設けられる接続端子と、
前記接続端子と前記金属基板とを接続する導電部材と、
前記透明基板の前記一面上に設けられ、前記少なくとも１つの光電変換セルから電流を取り出すための導電性の第２電流取出し部と、
前記第２電流取出し部上に設けられる第２外部接続端子と、
前記透明基板の前記一面上に設けられる集電配線とを備えており、
前記集電配線の一端が、前記第２電流取出し部上で前記第２外部接続端子と前記封止部との間で前記第２外部接続端子と離間した位置に接続され、
前記集電配線の他端が、前記少なくとも１つの光電変換セルのうちの１つの光電変換セルに含まれる前記電極上で前記封止部の外側の位置に接続され、
前記光電変換素子を前記透明基板の前記一面に直交する方向に見た場合に、前記封止部の外周縁より外側で、前記電極、前記第１電流取出し部及び前記第２電流取出し部を含む透明導電層のうち、前記接続端子と前記第１外部接続端子との間の接続端子−外部接続端子間領域の全部及び前記集電配線の前記一端と前記第２外部接続端子との間の配線−外部接続端子間領域の全部のみが露出されている、光電変換素子。
【請求項３】
透明基板と、
前記透明基板の一面上に設けられる少なくとも１つの光電変換セルと、
前記透明基板の前記一面上に設けられ、前記少なくとも１つの光電変換セルから電流を取り出すための導電性の第１電流取出し部と、
前記透明基板の前記一面側に設けられ、前記少なくとも１つの光電変換セルを覆って保護する保護層とを備える光電変換素子であって、
前記光電変換セルが、
前記透明基板の前記一面上に設けられる電極と、
前記電極に対向し、金属基板を有する対向基板と、
前記透明基板及び前記対向基板の間に設けられる環状の封止部とを有し、
前記光電変換素子が、
前記第１電流取出し部上に設けられる第１外部接続端子と、
前記第１電流取出し部上であって前記第１外部接続端子と前記封止部との間に前記第１外部接続端子と離間して設けられる接続端子と、
前記接続端子と前記金属基板とを接続する配線部を有する導電部材とを有し、
前記保護層が前記透明基板側に樹脂層を有し、
前記保護層が、前記配線部のうち少なくとも前記透明基板と反対側の主面を覆って前記少なくとも１つの光電変換セルの前記金属基板に固定され、前記透明基板の前記一面に直交する方向に前記光電変換素子を見た場合に、前記保護層の周縁部が、前記接続端子を超えて前記接続端子と前記第１外部接続端子との間の接続端子−外部接続端子間領域まで延びており、前記保護層の周縁部のうち前記樹脂層が前記接続端子−外部接続端子間領域に直接接着され、
前記保護層の線膨張係数が前記封止部の線膨張係数よりも小さい、光電変換素子。
【請求項４】
前記透明基板の前記一面上に設けられ、前記少なくとも１つの光電変換セルから電流を取り出すための導電性の第２電流取出し部と、
前記第２電流取出し部上に設けられる第２外部接続端子と、
前記透明基板の前記一面側に設けられる集電配線とをさらに備えており、
前記集電配線の一端が、前記第２電流取出し部上であって前記第２外部接続端子と前記封止部との間で前記第２外部接続端子と離間した位置に接続され、
前記集電配線の他端が、前記少なくとも１つの光電変換セルのうちの１つの光電変換セルに含まれる前記電極上で前記封止部の外側の位置に接続され、
前記透明基板の前記一面に直交する方向に前記光電変換素子を見た場合に、前記保護層の周縁部が、前記集電配線の前記一端を超えて前記集電配線の前記一端と前記第２外部接続端子との間の配線−外部接続端子間領域まで延びており、前記保護層の周縁部のうち前記樹脂層が前記配線−外部接続端子間領域に直接接着されている、請求項３に記載の光電変換素子。
【手続補正２】
【補正対象書類名】明細書
【補正対象項目名】００１０
【補正方法】変更
【補正の内容】
【００１０】
すなわち、本発明は、透明基板と、前記透明基板の一面上に設けられる少なくとも１つの光電変換セルと、前記透明基板の前記一面上に設けられ、前記少なくとも１つの光電変換セルから電流を取り出すための導電性の第１電流取出し部とを備える光電変換素子であって、前記光電変換セルが、前記透明基板の前記一面上に設けられる電極と、前記電極に対向し、金属基板を有する対向基板と、前記透明基板及び前記対向基板の間に設けられる環状の封止部とを有し、前記光電変換素子が、前記第１電流取出し部上に設けられる第１外部接続端子と、前記第１電流取出し部上であって前記第１外部接続端子と前記封止部との間に前記第１外部接続端子と離間して設けられる接続端子と、前記接続端子と前記金属基板とを接続する導電部材とを有し、前記光電変換素子を前記透明基板の前記一面に直交する方向に見た場合に、前記封止部の外周縁より外側で、前記電極及び前記第１電流取出し部を含む透明導電層のうち、前記接続端子と前記第１外部接続端子との間の接続端子−外部接続端子間領域の全部のみが露出されている、光電変換素子である。
【手続補正３】
【補正対象書類名】明細書
【補正対象項目名】００１２
【補正方法】変更
【補正の内容】
【００１２】
また本発明は、透明基板と、前記透明基板の一面上に設けられる少なくとも１つの光電変換セルと、前記透明基板の前記一面上に設けられ、前記少なくとも１つの光電変換セルから電流を取り出すための導電性の第１電流取出し部とを備える光電変換素子であって、前記光電変換セルが、前記透明基板の前記一面上に設けられる電極と、前記電極に対向し、金属基板を有する対向基板と、前記透明基板及び前記対向基板の間に設けられる環状の封止部とを有し、前記光電変換素子が、前記第１電流取出し部上に設けられる第１外部接続端子と、前記第１電流取出し部上であって前記第１外部接続端子と前記封止部との間に前記第１外部接続端子と離間して設けられる接続端子と、前記接続端子と前記金属基板とを接続する導電部材と、前記透明基板の一面上に設けられ、前記少なくとも１つの光電変換セルから電流を取り出すための導電性の第２電流取出し部と、前記第２電流取出し部上に設けられる第２外部接続端子と、前記透明基板の前記一面側に設けられる集電配線とを備えており、前記集電配線の一端が、前記第２電流取出し部上であって前記第２外部接続端子と前記封止部との間で前記第２外部接続端子と離間して設けられる位置に接続され、前記集電配線の他端が、前記少なくとも１つの光電変換セルのうちの１つの光電変換セルに含まれる前記電極上で前記封止部の外側の位置に接続され、前記光電変換素子を前記透明基板の前記一面に直交する方向に見た場合に、前記封止部の外周縁より外側で、前記電極、前記第１電流取出し部及び前記第２電流取出し部を含む透明導電層のうち、前記接続端子と前記第１外部接続端子との間の接続端子−外部接続端子間領域の全部及び前記集電配線の前記一端と前記第２外部接続端子との間の配線−外部接続端子間領域の全部のみが露出されている。
【手続補正４】
【補正対象書類名】明細書
【補正対象項目名】００２０
【補正方法】変更
【補正の内容】
【００２０】
≪第１実施形態≫
以下、本発明の光電変換素子の第１実施形態について図１〜図５を参照しながら詳細に説明する。図１は、本発明の光電変換素子の第１実施形態を示す平面図、図２は、図１のＩＩ−ＩＩ線に沿った切断面端面図、図３は、図１の光電変換素子における透明導電層のパターンを示す平面図、図４は、図１の光電変換素子のうち保護層を取り除いた部分を示す平面図、図５は、図４の光電変換素子のうち保護層を取り除いた部分を、封止部を横切る平面で切断した状態を示す断面図である。
【手続補正５】
【補正対象書類名】明細書
【補正対象項目名】００２７
【補正方法】変更
【補正の内容】
【００２７】
図５に示すように、絶縁層７０は、光電変換素子１００を透明基板１１のセル設置面１１ｂに直交する方向に見た場合に、封止部６０の外周縁７０ｃより内側の内側絶縁層７０ａと、封止部６０の外周縁７０ｃより外側の外側絶縁層７０ｂとを有している。内側絶縁層７０ａは、酸化物半導体層１３と接するように設けられている。すなわち、内側絶縁層７０ａは、溝４０から光電変換セル２０内への水分の侵入を抑制するため、封止部６０の外周縁７０ｃより内側で溝４０だけでなく電極１２Ａ全体をも覆っている。また、外側絶縁層７０ｂは、溝４０と重なる部分では、溝４０から光電変換セル２０内への水分の侵入をより十分に抑制するため、溝４０に入り込んでいる。外側絶縁層７０ｂは、透明導電層１２のうち、第１外部接続端子１５ａと接続端子１６との間の接続端子−外部接続端子間領域１０１、及び、第２外部接続端子１５ｂと第１集電配線端１７ａとの間の配線−外部接続端子間領域１０２以外の領域を覆い隠すように設けられている。また、透明基板１１のセル設置面１１ｂ上で封止部６０の外側の領域のうち第１外部接続端子１５ａと第２外部接続端子１５ｂとの間の外部接続端子間領域１０３は、絶縁層７０の外側絶縁層７０ｂによって覆い隠されている。また、透明基板１１のセル設置面１１ｂ上で封止部６０の外側の領域のうち接続端子１６と第１集電配線端１７ａとの間の配線−接続端子間領域１０４も絶縁層７０の外側絶縁層７０ｂによって覆い隠されている。
【手続補正６】
【補正対象書類名】明細書
【補正対象項目名】００５９
【補正方法】変更
【補正の内容】
【００５９】
また電解質８０は、有機溶媒に代えて、イオン液体を用いてもよい。イオン液体としては、例えばピリジニウム塩、イミダゾリウム塩、トリアゾリウム塩等の既知のヨウ素塩であって、室温付近で溶融状態にある常温溶融塩が用いられる。このような常温溶融塩としては、例えば、１−ヘキシル−３−メチルイミダゾリウムアイオダイド、１−エチル−３−プロピルイミダゾリウムアイオダイド、ジメチルイミダゾリウムアイオダイド、エチルメチルイミダゾリウムアイオダイド、ジメチルプロピルイミダゾリウムアイオダイド、ブチルメチルイミダゾリウムアイオダイド、又は、メチルプロピルイミダゾリウムアイオダイドが好適に用いられる。
【手続補正７】
【補正対象書類名】明細書
【補正対象項目名】００７３
【補正方法】変更
【補正の内容】
【００７３】
また、電極１２Ａと第２電流取出し部１２Ｄとにまたがるように集電配線１７の前駆体を形成する。このとき、集電配線１７の前駆体は、一端が、第２電流取出し部１２Ｄ上であって第２外部接続端子１５ｂの前駆体と離間した位置に配置され、他端が、電極１２Ａ上の位置に配置されるように形成される。集電配線１７の前駆体は、例えば銀ペーストを塗布し乾燥させることで形成することができる。